(57)【要約】【課題】レンズアレイを用いた光学系の組み立てを容易にする。【解決手段】物体の縮小倒立画像である中間像を形成する第１のレンズが、略直線に複数配列された第１のレンズ板と、前記中間像の拡大倒立画像を受光面に形成する第２のレンズが、前記第１のレンズの配列方向に略直線に複数配列された第２のレンズ板と、前記配列方向に略直線に間隔ＰＤを保持して配列された複数の発光素子とを有する露光装置において、前記配列方向における前記第１のレンズの光軸と第２のレンズの光軸とのずれを、前記間隔ＰＤより小さくした。【選択図】        図５
2013226686.tif 000002
【特許請求の範囲】
【請求項１】
物体の縮小倒立画像である中間像を形成する第１のレンズが、略直線に複数配列された第１のレンズ板と、前記中間像の拡大倒立画像を受光面に形成する第２のレンズが、前記第１のレンズの配列方向に略直線に複数配列された第２のレンズ板と、前記配列方向に略直線に間隔ＰＤを保持して配列された複数の発光素子とを有する露光装置において、
前記配列方向における前記第１のレンズの光軸と第２のレンズの光軸とのずれが、前記間隔ＰＤより小さいことを特徴とする露光装置。
【請求項２】
物体の縮小倒立画像である中間像を形成する第１のレンズが、略直線に複数配列された第１のレンズ板と、前記中間像の拡大倒立画像を受光面に形成する第２のレンズが、前記第１のレンズの配列方向に略直線に複数配列された第２のレンズ板と、前記配列方向に略直線に間隔ＰＤを保持して配列された複数のＬＥＤ素子とを有するＬＥＤヘッドにおいて、
前記配列方向における前記第１のレンズの光軸と第２のレンズの光軸とのずれが、前記間隔ＰＤより小さいことを特徴とするＬＥＤヘッド。
【請求項３】
物体の縮小倒立画像である中間像を形成する第１のレンズが、略直線に複数配列された第１のレンズ板と、前記中間像の拡大倒立画像を受光面に形成する第２のレンズが、前記第１のレンズの配列方向に略直線に複数配列された第２のレンズ板と、前記配列方向に略直線に間隔ＰＤを保持して配列された複数のＬＥＤ素子とを有するＬＥＤヘッドを備えた画像形成装置において、
前記配列方向における前記第１のレンズの光軸と第２のレンズの光軸とのずれが、前記間隔ＰＤより小さいＬＥＤヘッドを備えたことを特徴とする画像形成装置。
【請求項４】
物体の縮小倒立画像である中間像を形成する第１のレンズが、略直線に複数配列された第１のレンズ板と、前記中間像の拡大倒立画像を受光面に形成する第２のレンズが、前記第１のレンズの配列方向に略直線に複数配列された第２のレンズ板と、前記配列方向に略直線に間隔ＰＲを保持して配列された複数の受光素子とを有する読取装置において、
前記配列方向における前記第１のレンズの光軸と第２のレンズの光軸とのずれが、前記間隔ＰＲより小さいことを特徴とする読取装置。
【発明の詳細な説明】
【技術分野】
【０００１】
本発明は、露光装置、ＬＥＤヘッド、画像形成装置および読取装置に関する。
【背景技術】
【０００２】
従来、複数のＬＥＤ（発光ダイオード）を直線状に配列したＬＥＤヘッドを用いた電子写真方式の画像形成装置や複数の受光素子を直線状に配列した受光部に読取り原稿の像を結像させるスキャナやファクシミリ等の読取装置の光学系において、複数のレンズを直線状に配列した２枚のレンズアレイを対向配置したレンズユニットが用いられている（例えば、特許文献１参照）。
【先行技術文献】
【特許文献】
【０００３】
【特許文献１】特開２００９−８６６４９号公報（段落「００２８」〜段落「００２９」、図４、図５）
【発明の概要】
【発明が解決しようとする課題】
【０００４】
しかしながら、従来の技術においては、光学系のレンズアレイは長尺であって、多数のレンズが配列されており、対向配置された各レンズの光軸を一致させることが困難であり、レンズアレイを用いた光学系の組み立てが難しいという問題がある。
本発明は、このような問題を解決することを課題とし、レンズアレイを用いた光学系の組み立てを容易にすることを目的とする。
【課題を解決するための手段】
【０００５】
そのため、本発明は、物体の縮小倒立画像である中間像を形成する第１のレンズが、略直線に複数配列された第１のレンズ板と、前記中間像の拡大倒立画像を受光面に形成する第２のレンズが、前記第１のレンズの配列方向に略直線に複数配列された第２のレンズ板と、前記配列方向に略直線に間隔ＰＤを保持して配列された複数の発光素子とを有する露光装置において、前記配列方向における前記第１のレンズの光軸と第２のレンズの光軸とのずれが、前記間隔ＰＤより小さいことを特徴とする。
【発明の効果】
【０００６】
このようにした本発明は、レンズアレイを用いた光学系の組み立てを容易にすることができるという効果が得られる。
【図面の簡単な説明】
【０００７】
【図１】第１の実施例におけるプリンタの構成を示す概略図
【図２】第１の実施例におけるＬＥＤヘッドの長手方向における断面図
【図３】第１の実施例におけるＬＥＤヘッドの短手方向における断面図
【図４】第１の実施例におけるＬＥＤヘッドの分解斜視図
【図５】第１の実施例におけるレンズの動作を示す説明図
【図６】第１の実施例における光軸のずれとＭＴＦの関係を示すグラフ
【図７】第１の実施例におけるＭＴＦ８０％でのＬＥＤ素子の配列間隔と光軸のずれの関係を示すグラフ
【図８】第２の実施例における読取装置の構成を示す概略図
【図９】第２の実施例における読取装置の読取ヘッドの構成を示す概略図
【図１０】第１の実施例における画像形成装置の画像評価の説明図
【発明を実施するための形態】
【０００８】
以下、図面を参照して本発明による露光装置、ＬＥＤヘッド、画像形成装置および読取装置の実施例を説明する。
【実施例１】
【０００９】
本実施例の画像形成装置としてのプリンタを図１の第１の実施例におけるプリンタの構成を示す概略図に基づいて説明する。
図１において、プリンタ１００は、色材としての顔料を含む樹脂からなるトナーにより、画像データをもとに印字媒体上に画像を形成する。
プリンタ１００には、印字媒体としての用紙１０１を貯留する給紙カセット６０が装着され、用紙１０１を給紙カセット６０から取り出す給紙ローラ６１を備え、用紙１０１を給紙して搬送する搬送ローラ６２、６３が配置される。
【００１０】
本発明におけるプリンタ１００は、カラー電子写真方式であり、プリンタ１００内には画像形成部としてイエロー、マゼンダ、シアン、ブラックの各色の画像を形成する静電潜像担持体としての感光体ドラム４１、その感光体ドラム４１に形成された静電潜像をトナーにより現像し、トナー像を形成する現像器５、その現像器５にトナーを供給するトナーカートリッジ５１が用紙１０１の搬送路に沿って並べて配置されている。
また、感光体ドラム４１の表面に電荷を供給して帯電させる帯電ローラ４２、光学ヘッドとしてのＬＥＤ（Ｌｉｇｈｔ  Ｅｍｉｔｔｉｎｇ  Ｄｉｏｄｅ）ヘッド３が、感光体ドラム４１の表面に対向するように配置され、ＬＥＤヘッド３は帯電ローラ４２で帯電された感光体ドラム４１の表面に画像データをもとに選択的に光を照射して静電画像を形成する。
【００１１】
さらに、感光体ドラム４１上に形成され、トナーにより静電潜像を可視化した像であるトナー像を用紙１０１上に転写する転写ローラ８０が、転写部で用紙１０１を搬送する転写ベルト８１を挟むように感光体ドラム４１に対向して配置され、また用紙１０１が転写部を通過した後の感光体ドラム４１の表面に残留したトナーを除去するクリーニングブレード４３が感光体ドラム４１の表面に接触して配置されている。
転写部の下流には用紙１０１上に形成されたトナー像を熱および圧力で定着させる定着器９が配置され、その定着器９を通過した用紙１０１を搬送する搬送ローラ６４、その搬送ローラ６４により搬送され、画像が形成された用紙１０１を貯留する排出部７へ排出する排出ローラ６５が配置される。
【００１２】
また、帯電ローラ４２および転写ローラ８０には図示しない電源により所定の電圧が印加される。そして、転写ベルト８１、感光体ドラム４１および各ローラはそれぞれ図示しないモータと図示しない駆動を伝達するギアにより回転駆動される。さらに、現像器５、ＬＥＤヘッド３、定着器９、および図示しない各モータには、それぞれ電源および制御装置が接続されている。
プリンタ１００は、外部装置から印刷データを受信する外部インターフェースを有し、その外部インターフェースで受信した印刷データをもとに印字媒体上に画像を形成する。
このように構成されたプリンタ１００は、制御プログラムをメモリ等の記憶部に記憶し、その制御プログラムに基づいて全体を制御する制御手段および演算手段としての制御部を備えている。
【００１３】
次に、ＬＥＤヘッドの構成を図２、図３、図４および図５を用いて説明する。
図２は第１の実施例におけるＬＥＤヘッドの長手方向における断面図であり、図３は第１の実施例におけるＬＥＤヘッドの短手方向における断面図である。なお、図２は、図３におけるＢＢ断面図であり、図３は、図２におけるＡＡ断面図である。
図２において、ＬＥＤヘッド３は長尺のユニットであり、ＬＥＤヘッド３の長手方向が図面の水平方向（Ｙ方向）、また発光素子としてのＬＥＤ素子３０が図面の下方、結像面としての感光体ドラム４１が図面の上方となるように示されている。
図３において、ＬＥＤヘッド３の長手方向が図面の表裏方向、ＬＥＤヘッド３の短手方向が図面の水平方向（Ｘ方向）、またＬＥＤ素子３０が図面の下方、結像面としての感光体ドラム４１が図面の上方となるように示されている。
【００１４】
ＬＥＤヘッド３は、発光素子としてのＬＥＤ素子３０が略直線状に複数配列された基板３１と、ＬＥＤ素子３０の倒立縮小像を形成する第１のレンズ板１１と、そのＬＥＤ素子３０の倒立縮小像を拡大倒立して結像する第２のレンズ板１４と、第１のレンズ板１１と第２のレンズ板１４との間に配置された第１の遮光部材としての遮光板２１と、ＬＥＤ素子３０と第１のレンズ板１１との間に配置された第２の遮光部材としてのマスク２３と、マスク２３と結像面としての感光体ドラム４１との距離を調整する調整部材３５と、基板３１と第１のレンズ板１１と第２のレンズ板１４と遮光板２１とマスク２３とを固定するホルダ３２とにより構成される。
基板３１、第１のレンズ板１１、第２のレンズ板１４、遮光板２１、およびマスク２３は、すべて長尺の部材で形成され、図２に示すとおり、それぞれの部材の長手方向がすべて平行になるように、水平方向（Ｙ方向）に配置される。
【００１５】
ＬＥＤ素子３０は、間隔ＰＤで略直線に配列され、１インチ（約２５．４ｍｍ）当り、６００個のＬＥＤ素子３０が配列されていることを示す６００ｄｐｉ（ｄｏｔ  ｐｅｒ  ｉｎｃｈ）のＬＥＤヘッド３の場合、ＬＥＤ素子３０の間隔ＰＤは０．０４２３３ｍｍとなっている。また、１インチ当り、１２００個のＬＥＤ素子３０が配列されていることを示す１２００ｄｐｉのＬＥＤヘッド３の場合、ＬＥＤ素子３０の間隔ＰＤは０．０２１１７ｍｍとなっている。さらに、１インチ当り、２４００個のＬＥＤ素子３０が配列されていることを示す２４００ｄｐｉのＬＥＤヘッド３の場合、ＬＥＤ素子３０の間隔ＰＤは０．０１０５８ｍｍとなっている。
【００１６】
また、図２において、ＬＥＤ素子３０の配列方向はＬＥＤヘッド３の長手方向である水平方向（Ｙ方向）である。４１は静電潜像が形成される感光体ドラムであり、ＡＸＲは感光体ドラム４１の回転軸である。この回転軸ＡＸＲは、ＬＥＤ素子３０の配列方向と平行し、水平方向（Ｙ方向）に配置される。
３５は調整部材であり、マスク２３と感光体ドラム４１との面間隔を調整でき、図２の水平方向全体にわたってマスク２３と感光体ドラム４１との面間隔が一定となるようにマスク２３に配置されている。この調整部材３５は、例えば偏心カムで構成される。
３９は摺動部材であり、感光体ドラム４１が回転しても感光体ドラム４１の表面と調整部材３５との間隔が一定となるように、感光体ドラム４１の表面に沿って配置される。
【００１７】
図３において、水平方向（Ｘ方向）をＬＥＤヘッド３、第１のレンズ板１１および第２のレンズ板１４の幅方向（短手方向）とし、第１のレンズ板１１および第２のレンズ板１４の幅方向における中心線をＣＬとすると、図３に示すとおり、中心線ＣＬを外挿した直線上にＬＥＤ素子３０および感光体ドラム４１の回転軸ＡＸＲが配置される。第１のレンズ板１１および第２のレンズ板１４のマイクロレンズの光軸は中心線ＣＬと平行であり、図３の鉛直方向（Ｚ方向）となっている。
【００１８】
図４は第１の実施例におけるＬＥＤヘッドの分解斜視図である。
図４において、第１のレンズ板１１のマイクロレンズである第１のレンズ１２および第２のレンズ板１４のマイクロレンズである第２のレンズ１５の光軸が鉛直方向（Ｚ方向）となるように、また図中の下方にＬＥＤ素子３０、図中の上方に第２のレンズ板１４となるように、第１のレンズ板１１、第２のレンズ板１４およびＬＥＤ素子３０が配置され、ＬＥＤ素子３０の結像は図中の上方に形成される。
【００１９】
ＬＥＤヘッド３は、図中下方から、基板３１（ＬＥＤ素子３０）、マスク２３、第１のレンズ板１１、遮光板２１、第２のレンズ板１４の順で配置されている。第１のレンズ板１１には、第１のレンズ１２が２列に配列され、第２のレンズ板１４には、第２のレンズ１５が２列に配列され、遮光板２１には第１の絞り２２が２列に配列され、マスク２３には第２の絞り２４が２列に配列され、第１のレンズ１２の光軸と第２のレンズ１５の光軸と第１の絞り２２と第２の絞り２４との位置が略一致するように、それぞれ略同一の間隔で配列されている。
【００２０】
つまり、ＬＥＤヘッド３は、光軸が一致するように配列されたマイクロレンズからなる２枚のレンズ対を光軸に対して直交する方向に略直線に配置した構成となっている。なお、遮光板２１およびマスク２３は、ＬＥＤ素子３０の光線を遮光する素材により形成されている。
ホルダ３２は、基板３１と第１のレンズ板１１と第２のレンズ板１４と遮光板２１とマスク２３とを固定するものであり、ＬＥＤヘッド３の長手方向全体にわたって形成され、マスク２３と一体に形成されている。
【００２１】
図５は第１の実施例におけるレンズの動作を示す説明図である。図５（ａ）は第１のレンズ板１１および第２のレンズ板１４の側面図であり、第１のレンズ板１１および第２のレンズ板１４の長手方向が図中水平方向であり、図中の下方にＬＥＤ素子３０ａが配置され、結像３０ｃは図中の上方に形成される。図５（ｂ）は第１のレンズ板１１の正面図であり、第１のレンズ板１１の長手方向が図中の水平方向（Ｙ方向）であり、図面の手前側にＬＥＤ素子３０ａが配置され、第２のレンズ板１４は図面の奥側に配置され、結像３０ｃは図面の奥側に形成される。なお、図５（ｂ）における第１のレンズ１２ａ、１２ｂおよび１２ｃの図面の水平方向の位置は、図５（ａ）における第１のレンズ１２ａ、１２ｂおよび１２ｃの図面の水平方向の位置と一致する。
【００２２】
図５（ａ）に示すように、ＬＥＤ素子３０ａが配置された面である物体面ＯＰと第１のレンズ１２までの距離はＬＯに設定され、第１のレンズ１２と第２のレンズ１５との面の間隔はＬＳに設定され、第２のレンズ１５と結像面ＩＰとの面の間隔はＬＩに設定され、第１のレンズ１２の厚さはＬＴ１、第２のレンズ１５の厚さはＬＴ２に設定されている。
図５（ａ）において、第１のレンズ１２ａは、光軸ＡＸ１ａ方向に距離ＬＯ１の位置にある物体３０ａの結像として中間像３０ｂａを、光軸方向に距離ＬＩ１離れた中間像面ＩＭＰ上に形成する。このとき、中間像３０ｂａは、物体３０ａの倒立縮小像になっている。
【００２３】
第２のレンズ１５ａは、距離ＬＯ２の位置にある中間像３０ｂａの結像３０ｃを、光軸ＡＸ２ａ方向にＬＩ２隔てた結像面ＩＰ上に結像する。このとき、結像３０ｃは、物体３０ａの正立等倍像になっている。
物体面ＯＰから第１のレンズ１２までの距離ＬＯは距離ＬＯ１と等しく設定され、第１のレンズ１２と第２のレンズ１５との間隔ＬＳは、ＬＳ＝ＬＩ１＋ＬＯ２に設定され、第２のレンズ１５から結像面ＩＰまでの距離ＬＩは、距離ＬＩ２と等しく設定される。
【００２４】
図５（ｂ）を用いて第１のレンズ板１１の形状について説明する。
図５（ｂ）において、水平方向（Ｙ方向）が第１のレンズ板１１の長手方向になっている。第１のレンズ板１１には、複数の第１のレンズ１２が長手方向に平行する２列に千鳥状に交互に配置され、図に示すように、第１のレンズ１２ａおよび第１のレンズ１２ｃは同列に配置され、第１のレンズ１２ｂは第１のレンズ１２ａと第１のレンズ１２ｃとの間の他列に配置されている。ここで、ＡＸ１ａは第１のレンズ１２ａの光軸であり、ＡＸ１ｂは第１のレンズ１２ｂの光軸であり、ＡＸ１ｃは第１のレンズ１２ｃの光軸である。
【００２５】
第１のレンズ１２の１列あたりの配列間隔は２×ＰＹであり、第１のレンズ板１１の長手方向における第１のレンズ１２ａと第１のレンズ１２ｂとの配列間隔および第１のレンズ１２ｂと第１のレンズ１２ｃとの配列間隔はＰＹとなっている。
第１のレンズ１２および第２のレンズ１５の各曲面は、数式１で表される回転対称高次非球面で構成する。関数Ｚ（ｒ）は、物体面ＯＰから結像面ＩＰに向かう方向を示す座標であり、各レンズ面の面頂点を原点とし、物体面ＯＰから結像面ＩＰに向かう方向をプラスで表す。ｒは、第１のレンズ１２の光軸に平行な方向を軸とし、半径方向の回転座標系を示し、各図面に示した方向Ｘ、Ｙの各座標に対し、数式２で表される関係がある。ＣＲは各面の光軸近傍の曲率半径、Ａは非球面係数４次の係数、Ｂは非球面係数６次の係数、Ｃは非球面係数８次の係数を示す。
【００２６】
【数１】
2013226686.tif 000003
【００２７】
【数２】
2013226686.tif 000004
【００２８】
各レンズの光軸は、数式１で表される回転対称高次非球面である場合、各レンズの物体面側の面の頂点と結像側の面の頂点を結ぶ直線である。
隣接する２つの第１のレンズ１２の間に平坦部は形成されず、隣接する２つの第１のレンズ１２は境界で接し、隙間なく緻密に配置されている。つまり、第１のレンズ板１１の長手方向における、第１のレンズ１２の半径はＰＹになっている。また、第１のレンズ１２の半径ＲＬはＰＹより大きくなっている。
第１のレンズ板１１の長手方向と直交する幅方向（Ｘ方向）における第１のレンズ１２の配列間隔はＰＸとなっている。このとき、第１のレンズ１２のＸ方向における配列間隔ＰＸは、Ｙ方向における配列間隔（２×ＰＹ）より小さくなっている。なお、第１のレンズ板１１は、発光部としてのＬＥＤ素子３０ａの光線を透過する素材により構成されている。
【００２９】
第２のレンズ板１４は、第１のレンズ板１１と同形状に形成されている。また、第２のレンズ１５は、第１のレンズ１２と略同形状に形成され、配列されている。図５（ａ）に示すように、第２のレンズ板１４の長手方向における第２のレンズ１５ａと第２のレンズ１５ｂとの配列間隔および第２のレンズ１５ｂと第２のレンズ１５ｃとの配列間隔はＰＹとなっている。なお、第１のレンズ板１１は、発光部としてのＬＥＤ素子３０ａの光線を透過する素材により構成されている。
本実施例では、図５（ａ）に示すように、第２のレンズ板１４が第１のレンズ板１１に対して第１のレンズ板１１の長手方向において距離ｄずれて配置されており、すべての第２のレンズ１５の光軸がすべての第１のレンズ１２の光軸に対して同方向に距離ｄずれている。
【００３０】
ここで、第１のレンズ板１１と第２のレンズ板１４とは、同形状の型によって略同形状に形成されるのが好ましい。具体的には、本実施例においては第１のレンズ板１１と第２のレンズ板１４は、同型によって射出成型によって形成されている。このように、第１のレンズ板１１および第２のレンズ板１４を形成することで、第１のレンズ板１１を構成する複数の第１のレンズ１２の各光軸と第２のレンズ板１４を構成する複数の第２のレンズ１５の各光軸のそれぞれのずれ量ｄ（距離ｄ）を均一にすることができる。
【００３１】
つまり、第２のレンズ１５ａの光軸ＡＸ２ａは、第１のレンズ１２ａの光軸ＡＸ１ａに対して第１のレンズ板１１の長手方向において距離ｄずれて配置される。また、第２のレンズ１５ｂの光軸ＡＸ２ｂは、第１のレンズ１２ｂの光軸ＡＸ１ｂに対して第１のレンズ板１１の長手方向において距離ｄずれて配置される。さらに、第２のレンズ１５ｃの光軸ＡＸ２ｃは、第１のレンズ１２ｃの光軸ＡＸ１ｃに対して第１のレンズ板１１の長手方向において距離ｄずれて配置される。
また、第１のレンズ板１１の長手方向における第１のレンズ１２の光軸に対する第２のレンズ１５の光軸のずれである距離ｄは、ＬＥＤ素子３０の配列間隔ＰＤより小さくしている。
本実施例の効果の検証に用いたＬＥＤヘッドの各寸法を表１に示す。
【００３２】
【表１】
2013226686.tif 000005
【００３３】
上述した構成の作用について説明する。
まず、プリンタ１００の動作を図１に基づいて説明する。
プリンタ１００の感光体ドラム４１表面は、図示しない電源装置により電圧が印加された帯電ローラ４２により帯電される。続いて、感光体ドラム４１が回転することによって帯電された感光体ドラム４１表面がＬＥＤヘッド３の付近に到達するとＬＥＤヘッド３によって露光され、感光体ドラム４１表面に静電潜像が形成される。この静電潜像は現像器５により現像され、感光体ドラム４１の表面にトナー像が形成される。
【００３４】
一方、給紙カセット６０にセットされた用紙１０１が給紙ローラ６１によって給紙カセット６０から取り出され、搬送ローラ６２、６３により、転写ローラ８０および転写ベルト８１の付近に搬送される。
感光体ドラム４１が回転することにより、現像によって得られた感光体ドラム４１表面上のトナー像が転写ローラ８０および転写ベルト８１の付近に到達すると図示しない電源装置により電圧が印加されている転写ローラ８０および転写ベルト８１によって、感光体ドラム４１表面上のトナー像は用紙１０１上に転写される。
【００３５】
続いて、表面にトナー像が形成された用紙１０１は、転写ベルト８１の回転により定着器９へ搬送され、用紙１０１上のトナー像はその定着器９により加圧されながら加熱されることにより溶解し、用紙１０１上に固定される。トナー像が固定された用紙１０１は、搬送ローラ６４および排出ローラ６５により排出部７に排出されてプリンタ１００の動作が終了する。
次に、ＬＥＤヘッド３の動作を図５（ａ）に基づいて説明する。
【００３６】
画像データをもとにプリンタの制御部により図３に示すＬＥＤヘッド３の制御信号が発信されると基板３１上のドライバＩＣはその制御信号に基づき任意の光量でＬＥＤ素子３０を発光する。
第１のレンズ１２ａは、中間像面ＩＭＰ上に、物体３０ａの結像としての中間像３０ｂａを形成する。このとき、中間像３０ｂａは、物体３０ａの倒立縮小像になっている。
【００３７】
第２のレンズ１５ａは、結像面ＩＰ上に、中間像３０ｂａの結像としての結像３０ｃを結像する。このとき、結像３０ｃは、物体３０ａの正立等倍像になっている。
第１のレンズ１２ｂは、中間像面ＩＭＰ上に、物体３０ａの結像としての中間像３０ｂｂを形成する。このとき、中間像３０ｂｂは、物体３０ａの倒立縮小像になっている。
第２のレンズ１５ｂは、結像面ＩＰ上に、中間像３０ｂｂの結像としての結像３０ｃｂを結像する。このとき、結像３０ｃｂは、物体３０ａの正立等倍像になっている。
【００３８】
第１のレンズ１２ｃは、中間像面ＩＭＰ上に、物体３０ａの結像としての中間像３０ｂｃを形成する。このとき、中間像３０ｂｃは、物体３０ａの倒立縮小像になっている。
第２のレンズ１５ｃは、結像面ＩＰ上に、中間像３０ｂｃの結像としての結像３０ｃｃを結像する。このとき、結像３０ｃｃは、物体３０ａの正立等倍像になっている。
なお、第１のレンズ１２と第２のレンズ１５との間に光軸のずれｄ（距離ｄ）があっても、結像３０ｃと結像３０ｃｂと結像３０ｃｃに位置ずれはなく、結像３０ｃ、結像３０ｃｂおよび結像３０ｃｃは一点に形成される。
【００３９】
次に、第１のレンズ１２の光軸と第２のレンズ１５の光軸とのずれｄ（距離ｄ）の大きさと印刷画像の品質不良について説明する。
まず、光軸のずれｄ（距離ｄ）と図２に示すＬＥＤ素子３０の配列間隔ＰＤの異なる種々のＬＥＤヘッド３について、結像の解像度示すＭＴＦ（Ｍｏｄｕｌａｔｉｏｎ  Ｔｒａｎｓｆｅｒ  Ｆｕｎｃｔｉｏｎ：振幅伝達関数）を測定し、その結果を図６に示した。
ここで、ＭＴＦとは、露光装置の解像度を示し、露光装置中で点灯しているＬＥＤ素子３０の結像のコントラストを示す。１００％が結像のコントラストが最も大きく、露光装置としての解像度が高いことを示し、小さいほど光量のコントラストは小さく、露光装置の解像度は低い。
【００４０】
ＭＴＦ（％）は、結像の光量の最大値をＥＭＡＸ、隣り合う２つの結像の間の光量の最小値をＥＭＩＮとしたとき、
ＭＴＦ＝（ＥＭＡＸ−ＥＭＩＮ）／（ＥＭＡＸ＋ＥＭＩＮ）×１００（％）
のように定義される。
このＭＴＦの測定においては、ＬＥＤヘッド３の結像面ＩＰ上、第２のレンズ１５の結像面側レンズの頂点面から距離Ｌ１（ｍｍ）離れた位置の結像を顕微鏡デジタルカメラにより撮影し、撮影画像より結像３０ｃの光量分布を解析し、このＭＴＦを算出した。
【００４１】
また、ＭＴＦの測定においては、ＬＥＤ素子３０の配列間隔は、解像度６００ｄｐｉのＬＥＤヘッド３でＰＤ＝０．０４２３３ｍｍ、解像度１２００ｄｐｉのＬＥＤヘッド３でＰＤ＝０．０２１１７ｍｍ、解像度２４００ｄｐｉのＬＥＤヘッド３でＰＤ＝０．０１０５８ｍｍであるＬＥＤヘッド３を用い、全ＬＥＤ素子３０を１つおきに点灯、１つおきに消灯させて測定した。
さらに、解像度３００ｄｐｉのＬＥＤヘッド３については、解像度６００ｄｐｉのＬＥＤヘッドのＬＥＤ素子３０を２個おきに点灯、２個おきに消灯してＰＤ＝０．０８４６６ｍｍに相当するように動作させて測定した。
【００４２】
ＭＴＦを測定した結果、ＬＥＤ素子３０の配列間隔ＰＤと、ＭＴＦが８０％となる光軸のずれｄとの関係を図７に示す。すると、ＬＥＤ素子３０の配列間隔ＰＤとＭＴＦが８０％となる光軸のずれｄとの関係は、直線（ｄ＝ＰＤ）に一致することが分かった。
さらに、図６より、ＬＥＤ素子３０の配列間隔ＰＤが同じＬＥＤヘッドにおいては、光軸のずれｄが小さいほどＭＴＦが高いことから、ずれｄ＜間隔ＰＤであるとき、すなわちレンズの配列方向における第１のレンズ１２ａの光軸ＡＸ１ａと第２のレンズ１５ａの光軸ＡＸ２ａのずれｄがＬＥＤ素子３０の配列間隔ＰＤより小さいときＭＴＦは８０％以上になることが示された。
【００４３】
次に、各解像度の画像形成装置の画像についてＬＥＤプリンタを用いて評価したところ、ともにＭＴＦが８０％以上であるときに、良好な画像が得られた。ところが、ＭＴＦが８０％に達しないＬＥＤヘッドを実装したＬＥＤプリンタにおいては、用紙の搬送方向と平行に筋や帯や濃度斑が発生した。
画像形成装置の画像の評価は、図１０（ａ）または（ｂ）に示す画像を印刷したときの筋または濃度斑の発生の有無を評価した。図１０（ａ）（ｂ）において、８０１はトナーが付着して色が付いたドットであり、８０２はトナーが付着しない空白ドットである。すなわち、ＬＥＤ素子３０を１つおきに点灯させて作成した灰色画像である。
【００４４】
なお、解像度３００ｄｐｉであるＬＥＤ素子３０の配列間隔ＰＤが０．０４２３３ｍｍの画像形成装置の評価については、解像度６００ｄｐｉであるＬＥＤ素子３０の配列間隔ＰＤが０．０４２３３ｍｍの画像形成装置を用いてＬＥＤ素子３０を２つおきに点灯、２つおきに消灯させて作成した灰色画像で評価した。なお、ドット８０１の間隔ＰＰは、２×ＰＤである。
以上説明したように、第１の実施例では、上述したようにレンズアレイを用いた光学系を構成したことにより、各マイクロレンズの光軸を完全に一致させる必要がなくなり、露光装置の組み立てが容易になるという効果が得られる。
【実施例２】
【００４５】
第２の実施例の構成を図８の第２の実施例における読取装置の構成を示す概略図に基づいて説明する。なお、上述した第１の実施例と同様の部分は、同一の符号を付してその説明を省略する。
図８において、５００は、原稿を読取って画像データとしての電子データを生成する読取装置としてのスキャナである。
スキャナ５００は、読取ヘッド４００、ランプ５０１、原稿台５０２、レール５０３、駆動ベルト５０５、モータ５０６等で構成されている。
【００４６】
読取ヘッド４００は、照明装置としてのランプ５０１により照射され、原稿６００の表面で反射した光線を取り込み電子データに変換するものである。ランプ５０１は、照射した光が原稿６００の表面で反射し、読取ヘッド４００内に取り込まれるように配置されている。
原稿台５０２は、電子データが生成される原稿６００を載置するものであり、可視光線を透過する素材で形成されている。
【００４７】
レール５０３は、原稿台５０２の下方に配置され、読取ヘッド４００を移動可能にするものであり、読取ヘッド４００は、その一部が複数の滑車５０４により張架された駆動ベルト５０５に接続され、モータ５０６で駆動された駆動ベルト５０５によりレール５０３上を移動可能に構成されている。
【００４８】
次に、読取ヘッド４００の構成を図９の第２の実施例における読取装置の読取りヘッドの構成を示す概略図に基づいて説明する。図９（ａ）は、レンズユニット１の長手方向と直交する平面による断面図であり、レンズユニット１の長手方向が図面の表裏方向、ミラー４０２が図面の下方、ラインセンサ４０１が図面の上方となるように示されている。図９（ｂ）は、図９（ａ）におけるＢＢ断面図であり、レンズユニット１の長手方向が図面の水平方向（Ｙ方向）、ミラー４０２が図面の下方、ラインセンサ４０１が図面の上方となるように示されている。
図９において、読取ヘッド４００は、レンズユニット１、ラインセンサ４０１およびミラー４０２で構成されている。
【００４９】
レンズユニット１は、第１の実施例の構成と同様であり、図中上方から、マスク２３、第２のレンズ板１４、遮光板２１、第１のレンズ板１１の順で配置されている。また、図４に示すように、第１のレンズ板１１には、第１のレンズ１２が２列に配列され、第２のレンズ板１４には、第２のレンズ１５が２列に配列され、遮光板２１には第１の絞り２２が２列に配列され、マスク２３には第２の絞り２４が２列に配列され、第１のレンズ１２の光軸と第２のレンズ１５の光軸と第１の絞り２２と第２の絞り２４との位置が略一致するように、それぞれ略同一の間隔で配列されている。
【００５０】
ホルダ３２は、第１のレンズ板１１と第２のレンズ板１４と遮光板２１とマスク２３とを固定するものであり、レンズユニット１の長手方向全体にわたって形成され、マスク２３と一体に形成されている。
ミラー４０２は、原稿６００で反射された光線の光路を折り曲げてその光線をレンズユニット１に入射させるものである。
ラインセンサ４０１は、複数の受光素子が間隔ＰＲで直線に配置されており、レンズユニット１により形成された原稿画像の結像を電気信号に変換するものである。
【００５１】
本実施例においては、図５に示すレンズアレイ１の物体面ＯＰが原稿６００となるように、また結像面ＩＰがラインセンサ４０１となるように配置される。
本実施例のレンズユニット１は、第１の実施例の構成と同様であり、図９（ｂ）に示すラインセンサ４０１の受光素子の配列間隔をＰＲとしたとき、第１のレンズ板１１の長手方向における第１のレンズ１２の光軸に対する第２のレンズ１５の光軸のずれである距離ｄは配列間隔ＰＲより小さくされている。
【００５２】
上述した構成の作用について説明する。
まず、読取装置の動作を図８に基づいて説明する。
ランプ５０１が点灯し、原稿６００の表面を照射することにより、原稿６００の表面で反射した光線が読取ヘッド４００内に取り込まれる。モータ５０６により、駆動ベルト５０５が駆動して読取ヘッド４００とランプ５０１が図８における左右方向に移動し、読取ヘッド４００は原稿６００の全面から反射した光線を取り込む。
【００５３】
次に、読取ヘッド４００の動作を図９に基づいて説明する。
原稿６００で反射された光線は、原稿台５０２を透過し、ミラー４０２で光路が折り曲げられ、レンズユニット１に入射する。レンズユニット１により結像された原稿画像の結像はラインセンサ４０１上に形成され、ラインセンサ４０１は形成された原稿画像の結像を電気信号に変換して電子データを生成する。
本実施例による読取装置を用いて原稿から画像データを形成したところ、原稿と同一の良好な画像データが得られた。
以上説明したように、第２の実施例では、読取装置においても第１の実施例と同様の効果が得られ、原稿と同一の画像データを読取ることができるという効果が得られる。
【符号の説明】
【００５４】
１    レンズユニット
３    ＬＥＤヘッド
５    現像器
７    排出部
９    定着器
１１  第１のレンズ板
１２  第１のレンズ
１４  第２のレンズ板
１５  第２のレンズ
２１  遮光板
２２  第１の絞り
２３  マスク
２４  第２の絞り
３０  ＬＥＤ素子
３１  基板
３２  ホルダ
３５  調整部材
３９  摺動部材
４１  感光体ドラム
４２  帯電ローラ
４３  クリーニングブレード
５１  トナーカートリッジ
６０  給紙カセット
６１  給紙ローラ
６２、６３、６４  搬送ローラ
６５  排出ローラ
８０  転写ローラ
８１  転写ベルト
【図１】
2013226686.tif 000006
【図２】
2013226686.tif 000007
【図３】
2013226686.tif 000008
【図４】
2013226686.tif 000009
【図５】
2013226686.tif 000010
【図６】
2013226686.tif 000011
【図７】
2013226686.tif 000012
【図８】
2013226686.tif 000013
【図９】
2013226686.tif 000014
【図１０】
2013226686.tif 000015